(57)【要約】【課題】ジューサーの分離フィルターのブラシ式洗浄装置において、洗浄水の容量を多くして洗浄を容易に行えるようにする。【解決手段】蓋１２に貯水部２０と滴下孔２１を設け、洗浄水を分離フィルター１０の上に滴下しながら洗浄することで、蓋１２に設ける貯水部２０の大きさを洗浄ブラシ１９の大きさとは無関係に大きくすることができ、洗浄ブラシの操作性を損なうことなく十分な洗浄水を貯えることができる。【選択図】図１
2005318918.tif 000002
【特許請求の範囲】
【請求項１】
電動機を内蔵する本体と、前記本体上に載置されるジュース回収容器と、前記ジュース回収容器内に配置され前記電動機により回転駆動される分離フィルターと、前記ジュース回収容器を覆う蓋と、前記蓋に設けた洗浄ブラシ挿入口から挿入した前記分離フィルター内周面を清掃する洗浄ブラシと、前記分離フィルターに洗浄水を滴下する貯水滴下装置とを備え、前記洗浄ブラシと前記貯水滴下装置とを前記蓋に別々に設ける構成としたジューサー。
【請求項２】
洗浄水を滴下する貯水滴下装置は、蓋の上面に設けた貯水部と滴下孔からなる構成とした請求項１記載のジューサー。
【請求項３】
貯水部と滴下孔とを一体に設ける構成とした請求項２記載のジューサー。
【請求項４】
蓋の上面に設けた滴下孔とこの滴下孔の上部に着脱自在に取り付けた貯水部とからなる構成とした請求項２記載のジューサー。
【請求項５】
滴下孔に止水弁を取り付ける構成とした請求項２〜４のいずれか１項に記載のジューサー。
【請求項６】
止水弁は、洗浄ブラシ挿入口から挿入される洗浄ブラシに連動して開くように構成した請求項５記載のジューサー。
【請求項７】
洗浄ブラシ挿入口に清浄口蓋を備え、止水弁は前記清浄口蓋の開閉に連動して開閉するように構成した請求項５記載のジューサー。
【発明の詳細な説明】
【技術分野】
【０００１】
本発明は分離フィルターの洗浄に特徴を有する家庭用のジューサーに関する。
【背景技術】
【０００２】
従来、蓋に設けた洗浄ブラシ挿入口から洗浄ブラシを分離フィルターの斜面に沿って挿入し、分離フィルター内周面を清掃するようにしたジューサーは、洗浄ブラシに洗浄水を貯えた貯水タンクを取り付けるように構成されている（例えば、特許文献１参照）。
【０００３】
図６は従来のジューサーの縦断面図を示すもので、洗浄ブラシ１は蓋２に設けた洗浄ブラシ挿入口３から分離フィルター４の斜面に沿って挿入され、分離フィルター４の内面を洗浄するようにしている。洗浄ブラシ１には洗浄水を貯えた貯水タンク５を取り付けていて、貯水タンク５を押圧することで清浄水を流しながら洗浄するようにしている。
【特許文献１】特開平９−２９９２２９号公報
【発明の開示】
【発明が解決しようとする課題】
【０００４】
しかしながら、前記従来の構成では、洗浄ブラシ１を操作するのに貯水タンク５も同時に持つことになり、貯水タンク５があまり大きくなると操作性が悪くなることから、貯水タンク５を大きくすることができず、十分な洗浄水を一度に確保し供給しにくいという問題を有していた。
【０００５】
本発明は、前記従来の課題を解決するもので、十分な洗浄水を一度に供給できるジューサーを提供することを目的とする。
【課題を解決するための手段】
【０００６】
前記従来の課題を解決するために、本発明のジューサーは、前記ジュース回収容器を覆う蓋と、前記蓋に設けた挿入口から分離フィルター内周面を清掃する洗浄ブラシと、前記分離フィルターに洗浄水を滴下する貯水滴下装置とを備え、前記洗浄ブラシと前記貯水滴下装置とを前記蓋に別々に設ける構成とした。
【０００７】
これにより、洗浄ブラシの操作性を損なうことなく十分な洗浄水を一度に供給できるジューサーが得られる。
【発明の効果】
【０００８】
本発明のジューサーは、蓋に洗浄ブラシと洗浄水の貯水滴下装置を別々に構成することにより、洗浄ブラシの操作性を損なうことなく十分な洗浄水を一度に貯水滴下装置に貯えることができ、洗浄の途中で洗浄水の補給の手間がなくなり使い勝手をよくすることができる。
【発明を実施するための最良の形態】
【０００９】
第１の発明は、電動機を内蔵する本体と、前記本体上に載置されるジュース回収容器と、前記ジュース回収容器内に配置され前記電動機により回転駆動される分離フィルターと、前記ジュース回収容器を覆う蓋と、前記蓋に設けた洗浄ブラシ挿入口から挿入した前記分離フィルター内周面を清掃する洗浄ブラシと、前記分離フィルターに洗浄水を滴下する貯水滴下装置とを備え、前記洗浄ブラシと前記貯水滴下装置とを前記蓋に別々に設ける構成とした。
【００１０】
この構成により、蓋に洗浄ブラシと洗浄水の貯水滴下装置を別々に構成することにより、洗浄ブラシの操作性を損なうことなく十分な洗浄水を一度に貯水滴下装置に貯えることができ、洗浄の途中で洗浄水の補給の手間がなくなり使い勝手をよくすることができる。
【００１１】
第２の発明は、特に、第１の発明の洗浄水を滴下する貯水滴下装置を、蓋の上面に設けた貯水部と滴下孔からなる構成としたことにより、より的確に十分な洗浄水を一度に供給することができる。
【００１２】
第３の発明は、特に、第２の発明の貯水部と滴下孔とを一体に設ける構成としたことにより、適切に十分な洗浄水を一度に供給することができる。
【００１３】
第４の発明は、特に、第２の発明の洗浄水を滴下する貯水滴下装置において、蓋の上面に設けた滴下孔と、この滴下孔の上部に着脱自在に取り付けた貯水部からなる構成としたことにより、十分な洗浄水を一度に供給することができ、洗浄時以外は貯水部を取り外しておけるためジュースを絞るときに貯水部が邪魔にならないようにすることができる。
【００１４】
第５の発明は、特に、第１〜３の発明のいずれか１つの発明の滴下孔に止水弁を取り付ける構成としたことにより、貯水部に水を入れてすぐに洗浄しなくても洗浄水を溜めておくことができる。
【００１５】
第６の発明は、特に、第５の発明の止水弁を、洗浄ブラシ挿入口から挿入される洗浄ブラシに連動して開くように構成したことにより、貯水部に水を入れてすぐに洗浄しなくても洗浄水を溜めておけ、洗浄ブラシを挿入することで自動的に給水が始まり、使い勝手をよくすることができる。
【００１６】
第７の発明は、特に、第５の発明の止水弁を清浄口蓋の開閉に連動して開閉する構成としたことにより、貯水部に水を入れてすぐに洗浄しなくても洗浄水を溜めておけ、清浄口蓋を開くと給水が始まり、使い勝手をよくすることができる。
【００１７】
以下、本発明の実施の形態について、図面を参照しながら説明する。なお、この実施の形態によって本発明が限定されるものではない。
【００１８】
（実施の形態１）
図１は本発明の実施の形態１におけるジューサーの縦断面図、図２は同ジューサーの平面図である。図１および図２において、ジューサーの本体６には電動機７を内蔵している。この電動機７の上部に設けたコネクタ８には、カッター９を底部に設けた分離フィルター１０を着脱自在に取り付けてこれを回転駆動している。また、本体６の上部にはジュース回収容器１１を設け、さらに、その上部にジュース回収容器１１の上部開口を覆う蓋１２を設けている。蓋１２には材料投入口１３が設けられ、材料投入口１３から材料を投入し押し込み棒１４で回転するカッター９に供給して切削している。切削された材料は、分離フィルター１０を通過するジュースと分離フィルター１０の上部開口より飛散する粕とに分離され、ジュースはジュース回収容器１１内のジュース案内部１５を流れ、粕は粕受け１６に集められる。
【００１９】
ジュースを絞り終えた後には、蓋１２に設けた洗浄ブラシ挿入口１７の洗浄口蓋１８を開き、運転しながら洗浄ブラシ１９を分離フィルター１０の斜面に沿って挿入して回転している分離フィルター１０の清掃をする。ここで、蓋１２には貯水部２０と滴下孔２１とより成る貯水滴下装置が設けてある。そして、貯水部２０に洗浄水を入れると滴下孔２１より洗浄水が分離フィルター１０の上に滴下され、貯水部２０の洗浄水を分離フィルター１０に注ぎながら洗浄するようにしている。
【００２０】
本実施の形態においては、蓋１２を洗浄ブラシ挿入口とは別の位置に設けているので、蓋１２に設ける貯水部２０の大きさを洗浄ブラシ１９の大きさとは無関係に大きくすることができ、洗浄ブラシの操作性を悪くすることなく十分な洗浄水を貯えることができる。
【００２１】
（実施の形態２）
図３は、本発明の第２の実施の形態におけるジューサーの縦断面図である。なお、本実施の形態の基本構成は実施の形態１と同じなので異なる点を中心に説明する。また、実施の形態１と同じ構成には同じ符号を付しその説明は省略する。
【００２２】
図３に示すように、蓋２２の上面に滴下孔２３を設け、この滴下孔２３の上部に着脱自在に貯水部２４を取り付け貯水滴下装置としている。ジュースを絞り終えた後に、蓋２２に設けた洗浄ブラシ挿入口１７の洗浄口蓋１８を開き、運転しながら洗浄ブラシ１９を挿入して、回転している分離フィルター１０の清掃をするとき、貯水部２４に洗浄水を入れて滴下孔２３より洗浄水を分離フィルター１０の上に滴下しながら洗浄するようにしている。
【００２３】
本実施の形態においては、第１の実施の形態と同様に貯水部２４の大きさを洗浄ブラシ１９の大きさとは無関係に大きくすることができ、十分な洗浄水を一度に供給することができるとともに、洗浄時以外は貯水部２４を取り外しておけるためジュースを絞るときに貯水部２４が邪魔にならない。
【００２４】
（実施の形態３）
図４（ａ）は本発明の第３の実施の形態におけるジューサーの縦断面図、図４（ｂ）は同ジューサーの非洗浄時の要部縦断面図である。なお、本実施の形態の基本構成は実施の形態１と同じなので異なる点を中心に説明する。また、実施の形態１と同じ構成には同じ符号を付しその説明は省略する。
【００２５】
図４に示すように、蓋２５の上面に滴下孔２６と貯水部２７を設けており、さらに滴下孔２６を閉じる方向に付勢した止水弁２８を回動自在に軸支している。本実施の形態では滴下孔２６と貯水部２７および止水弁２８とで貯水滴下装置を形成している。洗浄ブラシ挿入口１７から洗浄ブラシ１９が挿入されると止水弁２８に一体に設けた腕部２９が洗浄ブラシ１９に当接して止水弁２８を開くようにしている。
【００２６】
本実施の形態においては、貯水部２７に水を入れても、洗浄を開始するために洗浄ブラシ１９を挿入するまでは滴下孔２６が閉じていて給水しないため、使い勝手をよくすることができる。
【００２７】
（実施の形態４）
図５（ａ）は本発明の第４の実施の形態におけるジューサーの縦断面図、図５（ｂ）は同ジューサーの非洗浄時の要部縦断面図である。なお、本実施の形態の基本構成は実施の形態１と同じなので異なる点を中心に説明する。また、実施の形態１と同じ構成には同じ符号を付しその説明は省略する。
【００２８】
図５に示すように、蓋３０の上面に滴下孔３１と貯水部３２を設けており、さらに滴下孔３１を閉じる方向に付勢した止水弁３３を回動自在に軸支している。本実施の形態では滴下孔３１と貯水部３２および止水弁３３とで貯水滴下装置を形成している。また、洗浄ブラシ挿入口１７に設けた洗浄口蓋３４を開くと、止水弁３３に一体に設けた腕部３５が洗浄口蓋３４に一体に設けた第二の腕部３６に当接して、止水弁３３を開くようにしている。
【００２９】
本実施の形態においては、第３の実施の形態と同様に貯水部３２に水を入れても、洗浄を開始するために洗浄口蓋３４を開くまでは滴下孔３１が閉じていて給水しないため、使い勝手をよくすることができる。
【産業上の利用可能性】
【００３０】
以上のように本発明にかかるジューサーは、十分な洗浄水を一度に供給して洗浄することができるため、分離フィルターの洗浄を必要とするジューサーや遠心分離装置等の用途に利用できる。
【図面の簡単な説明】
【００３１】
【図１】本発明の実施の形態１におけるジューサーの縦断面図
【図２】同ジューサーの平面図
【図３】本発明の実施の形態２におけるジューサーの縦断面図
【図４】（ａ）本発明の実施の形態３におけるジューサーの縦断面図（ｂ）同ジューサーの非洗浄時の要部縦断面図
【図５】（ａ）本発明の実施の形態４におけるジューサーの縦断面図（ｂ）同ジューサーの非洗浄時の要部縦断面図
【図６】従来のジューサーの縦断面図
【符号の説明】
【００３２】
６  本体
７  電動機
１０  分離フィルター
１１  ジュース回収容器
１２、２２、２５、３０  蓋
１７  洗浄ブラシ挿入口
１９  洗浄ブラシ
２０、２４、２７、３２  貯水部
２１、２３、２６、３１  滴下孔
２８、３３  止水弁
３４  洗浄口蓋
【図１】
2005318918.tif 000003
【図２】
2005318918.tif 000004
【図３】
2005318918.tif 000005
【図４】
2005318918.tif 000006
【図５】
2005318918.tif 000007
【図６】
2005318918.tif 000008